(57)【要約】内部表面および外部表面を定義し、所定数の糸を使用して縫い目がなく編まれた、エネルギーを取り入れ、熱を管理する複数効果の治療用衣類が、提供される。治療用衣類を構築するための糸は、相変化を通して熱エネルギーを吸収し、貯えおよび放出する糸、熱エネルギーおよび紫外線放射エネルギーを遠赤外放射エネルギーに変換し、および遠赤外放射エネルギーをその他の糸に、および着用者の体部分に放射する糸、着用者の体部分および／または周囲環境から水分を吸着し、および発熱反応を通して熱エネルギーを生成する糸、耐熱および疎水性の糸並びに糸内で均一の温度を維持する熱伝導糸から選択される。治療用衣類の糸は、束になり、および編まれて、互いに接触し、および着用者の体部分をカバーする、糸の均一な表面領域分布を作り出す。  【選択図】      図1【特許請求の範囲】
【請求項１】
エネルギーを取り入れ、熱を管理する複数効果の治療用衣類であって、
エンクロージャであって、前記エンクロージャは、着用者の体部分に適合するように構成されており、前記エンクロージャは、内部表面および外部表面を含み、着用者が前記エンクロージャを着用するときに、前記内部表面は着用者の体部分に近位であり、および前記外部表面は着用者の体部分に遠位である、エンクロージャ；および
前記エンクロージャを作り出すために編まれた所定数の複数の糸の組み合わせ；
を含み、
前記糸は、
相変化を通して熱エネルギーを吸収し、貯え、および放出するための第1の糸；
熱エネルギーを遠赤外放射エネルギーに変換し、並びにその他の糸に、および着用者の体部分に当該遠赤外放射エネルギーを放射するための第2の糸；
着用者の一つまたは複数の体部分および周囲環境から水分を吸着し、並びに前記水分と第3の糸との間の発熱反応を通して熱エネルギーを生成するための第3の糸；
日光からの紫外線放射エネルギーを遠赤外放射エネルギーに変換し、並びにその他の糸に、および着用者の体部分に当該遠赤外放射エネルギーを放射するための第4の糸；
断熱を提供するための、および撥水のための第5の糸；および
熱を伝導し、および糸内で均一の温度を維持するための第6の糸；
を含み、
所定数の糸から選択される内側糸の束は、所定数の糸から選択される外側糸の束と編まれて前記エンクロージャの内部表面および外部表面をそれぞれ定義し、並びに前記エンクロージャの内部表面および外部表面のそれぞれの上に内側糸および外側糸の均一な表面領域分布を作り出し、
内側糸の編まれた束は、前記エンクロージャの内部表面上で露出され、および外側糸の編まれた束は、前記エンクロージャの外部表面上で露出され、並びに
内側糸の編まれた束および外側糸の編まれた束は、前記エネルギーを取り入れ、熱を管理する複数効果の治療用衣類が着用者によって着用されるときに互いに接触し、および着用者の体部分をカバーする、
衣類。
【請求項２】
請求項1のエネルギーを取り入れ、熱を管理する複数効果の治療用衣類であって、内側糸の束における少なくとも3つの糸は、第1の糸、第2の糸、第3の糸および第6の糸から選択されて前記エンクロージャの内部表面を定義し、並びに外側糸の束における少なくとも1つの糸は、第3の糸、第4の糸および第5の糸から選択されて前記エンクロージャの外部表面を定義する、衣類。
【請求項３】
請求項1のエネルギーを取り入れ、熱を管理する複数効果の治療用衣類であって、外側糸の束における少なくとも1つの糸は、第5の糸の複数のスレッドを含む、衣類。
【請求項４】
請求項1のエネルギーを取り入れ、熱を管理する複数効果の治療用衣類であって、第6の糸は、炭素ナノファイバーである、衣類。
【請求項５】
請求項1のエネルギーを取り入れ、熱を管理する複数効果の治療用衣類であって、第2の糸、第3の糸および第4の糸は、熱エネルギーを取り入れるために互いに、並びに着用者の一つまたは複数の体部分および周囲環境と相互作用するように構成されている、衣類。
【請求項６】
請求項1のエネルギーを取り入れ、熱を管理する複数効果の治療用衣類であって、第1の糸は、第2の糸および第4の糸から遠赤外放射エネルギーを吸収し、および第3の糸から熱エネルギーを受けとるようにさらに構成されている、衣類。
【請求項７】
請求項1のエネルギーを取り入れ、熱を管理する複数効果の治療用衣類であって、第1の糸は、高熱伝導率を有する第6の糸と連動して、糸内での均一の温度に影響を及ぼすようにさらに構成されている、衣類。
【請求項８】
請求項1のエネルギーを取り入れ、熱を管理する複数効果の治療用衣類であって、外側糸の束は、少なくとも1つの外側糸と束になった補充糸をさらに含んで前記エンクロージャの外部表面を定義し、前記補充糸は、着用者の体部分と前記エンクロージャの内部表面との間の熱伝導率を増強するように構成されている、衣類。
【請求項９】
請求項1のエネルギーを取り入れ、熱を管理する複数効果の治療用衣類であって、内側糸の束および外側糸の束のそれぞれは、外側糸の束と内側糸の束を編んで前記エンクロージャを作り出す前に、撚り合わされる、衣類。
【請求項１０】
自己完結型熱管理能力を持つ、エネルギーを取り入れ、熱を管理する複数効果の治療用衣類を構築するための方法であって、前記方法は：
相変化を通して熱エネルギーを吸収し、貯え、および放出するための第1の糸；
熱エネルギーを遠赤外放射エネルギーに変換し、並びにその他の糸に、および着用者の体部分に当該遠赤外放射エネルギーを放射するための第2の糸；
着用者の一つまたは複数の体部分および周囲環境から水分を吸着し、並びに前記水分と第3の糸との間の発熱反応を通して熱エネルギーを生成するための第3の糸；
日光からの紫外線放射エネルギーを遠赤外放射エネルギーに変換し、並びにその他の糸に、および着用者の体部分に当該遠赤外放射エネルギーを放射するための第4の糸；
断熱を提供するための、および撥水のための第5の糸；および
熱を伝導し、および糸内で均一の温度を維持するための第6の糸：
を含む複数の糸を提供すること；並びに
着用者の体部分に適合するように構成されているエンクロージャを作り出すことであって、前記エンクロージャは、内部表面および外部表面を含み、着用者が前記エンクロージャを着用するときに、前記内部表面は着用者の体部分に近位であり、および前記外部表面は着用者の体部分に遠位である、エンクロージャを作り出すこと；
を含み、
前記エンクロージャを作り出すことは：
提供された糸から所定数の内側糸および所定数の外側糸を選択すること；
スプールの第1のセット上に選択された内側糸およびスプールの第2のセット上に選択された外側糸を巻くこと；
スプールの第1のセットから選択された内側糸を引くことによって、およびスプールの第2のセットから選択された外側糸を引くことによって、選択された内側糸の束および選択された外側糸の束をそれぞれ作り出すこと；
フィーダーを介して編機の中に選択された内側糸の作り出された束および選択された外側糸の作り出された束を供給すること；および
編機において選択された外側糸の供給された束と選択された内側糸の供給された束を編んで、着用者の体部分に適合する前記エンクロージャを作り出すことを含み、
選択された内側糸の編まれた束は、前記エンクロージャの内部表面を定義し、および選択された外側糸の編まれた束は、前記エンクロージャの外部表面を定義し、並びに
選択された内側糸の編まれた束は、前記エンクロージャの内部表面上で露出され、および選択された外側糸の編まれた束は、前記エンクロージャの外部表面上で露出され、並びに
内側糸および外側糸の位置は、互いに対して一貫して維持されて、それぞれ前記エンクロージャの内部表面および外部表面上に内側糸および外側糸の均一な表面領域分布を作り出し、並びに
選択された内側糸の編まれた束および選択された外側糸の編まれた束は、前記エンクロージャが着用者によって着用されるときに互いに接触し、および着用者の体部分をカバーする、
方法。
【請求項１１】
請求項10の方法であって、選択された内側糸の束および選択された外側糸の束を作り出すことは、選択された外側糸の供給された束と選択された内側糸の供給された束を編んで前記エンクロージャを作り出す前に、それぞれ選択された内側糸を撚り合わせることおよび選択された外側糸を撚り合わせることを含む、方法。
【請求項１２】
請求項10の方法であって、選択された外側糸の供給された束と選択された内側糸の供給された束を編むことは、プレーティングによって行われる、方法。
【請求項１３】
請求項10の方法であって、選択された内側糸の供給された束および選択された外側糸の供給された束は、エネルギーを取り入れ、熱を管理する複数効果の治療用衣類全体として、縫い目がない単一片に編まれる、方法。
【請求項１４】
請求項10の方法であって、所定数の内側糸の選択は、前記エンクロージャの内部表面を定義するために第1の糸、第2の糸、第3の糸および第6の糸から少なくとも3つの糸を選択することを含み、並びに所定数の外側糸の選択は、前記エンクロージャの外部表面を定義するために第3の糸、第4の糸および第5の糸から少なくとも1つの糸を選択することを含む、方法。
【請求項１５】
請求項10の方法であって、所定数の外側糸の選択は、第5の糸の複数のスレッドから少なくとも1つの糸を選択することを含む、方法。
【請求項１６】
請求項10の方法であって、所定数の外側糸の選択は、前記エンクロージャの外部表面を定義するために補充糸および少なくとも1つの外側糸を選択することを含み、
前記補充糸は、着用者の体部分と前記エンクロージャの内部表面との間の熱伝導率を増強するように構成されている、方法。
【請求項１７】
請求項10の方法であって、第6の糸は、炭素ナノファイバーである、方法。
【発明の詳細な説明】
【技術分野】
【０００１】
関連出願の相互参照
この出願は、「Energy Harvesting, Heat Managing, Multi-effect Therapeutic Garment」と表題をつけられて、2015年8月3日に米国特許商標局において出願された仮特許出願番号62/200,124号および「Energy Harvesting, Heat Managing, Multi-effect Therapeutic Garment」と表題をつけられて、2016年8月2日に米国特許商標局において出願された非仮特許出願番号15/226,892号に対する優先権およびその利益を請求する。上述した特許出願の明細書は、これらの全体において参照により本明細書に援用される。
【背景技術】
【０００２】
レイノー症候群、手および足における関節炎の悪化、冷たい手および足並びに寒い気候における手指および足指の変色は、寒い気候における手、手指および足指への減少した血流によって生じる。手指または足指に対する血液供給が血管の狭小化のために著しく減少するこの条件は、たとえば、寒い気候のため皮膚が青白く、または白くなり、および冷たく、および無感覚になるため血管攣縮と呼ばれている。また、血管攣縮で苦しんでいる人は、時間とともに彼らの手指および足指における血管が厚くなることを経験するかもしれず、これによりさらに血流が制限される。長期間にわたる血管攣縮は、結果として組織死を導き得る。レイノー症候群は、根底にある原因を治療し、および誘発、たとえば低温状態を回避すること、寒い気候のために重ね着をすることによって温かい中核体温を保持すること、および手袋または重いソックス、その他を着用することによって主に管理される。有効な熱管理特徴を持つほとんどの衣類は、レイノー症候群および／または関節炎を患っている人に熱を提供するために、衣類その他の裏地における電気加熱、使い捨てまたは再使用可能な加熱カートリッジもしくは挿入物、電子レンジで使えるゲルまたはその他の有機材料を使用する。これらの従来の熱管理方法において、さらなる熱は、さらなる相対的に扱いにくい装置を使用することよって衣類に導入され、それは移動を制限し、および不快を着用者に提供する。
【０００３】
それ故、着用者の治療用衣類との相互作用および周囲環境の両方からエネルギーを取り入れ、取り入れたエネルギーを治療用衣類内で貯め、および分配することができる熱エネルギーへ変換する、治療用衣類内で熱を導入したり維持したりするための任意のさらなる装置のない、エネルギーを取り入れ、熱を管理する複数効果の治療用衣類の必要性が長い間感じられている。
【発明の概要】
【０００４】
この概要は、発明の詳細な説明においてさらに開示される簡略形態における概念の選択を紹介するために提供される。この概要は、請求された主題の範囲を決定することを意図されない。
【０００５】
エネルギーを取り入れ、熱を管理する複数効果の治療用衣類、本明細書において「治療用衣類」という、およびその構築の方法は、着用者の治療用衣類および周囲環境両方との相互作用からエネルギーを取り入れること、および治療用衣類内で熱を導入し、および維持するため任意のさらなる装置、たとえば、熱カートリッジ、加熱可能挿入物、電子レンジで使えるゲル、電池、充電器、その他のない治療用衣類内で貯えられ、および分配され得る取り入れたエネルギーを熱エネルギーに変換することの上に言及された必要性について言及する。本明細書において開示される治療用衣類は、所定数の糸、たとえば、治療用衣類の内部表面を定義する少なくとも3つの糸および外部表面を定義する少なくとも1つの糸の組み合わせから作られる。糸は、完全な衣類として、またはホールガーメントとして縫い目がない単一の小片に編まれ、それによって、改善された構築統合性を持つ改善されたフィット性を提供する。
【０００６】
本明細書において開示される治療用衣類は、着用者の体部分、たとえば、着用者の手、足、胴または着用者の体の任意のその他の部分に適合するように構成されているエンクロージャを含む。エンクロージャは、内部表面および外部表面を含み、着用者がエンクロージャを着用するときに内部表面は、着用者の体部分に近位であり、および外部表面は、着用者の体部分に遠位である。治療用衣類は、エンクロージャを作り出すために編まれる所定数の糸の組み合わせを含む。糸は、相変化を通して熱エネルギーを吸収して、貯え、および放出するための第1の糸、遠赤外放射エネルギーに熱エネルギーを変換し、およびその他の糸に、および着用者の体部分に遠赤外放射エネルギーを放射するための第2の糸、着用者の体部分および／または周囲環境から水分を吸着し、および第3の糸に含まれる水分と乾燥剤タイプの結晶との間の発熱反応を通して熱エネルギーを生成するための第3の糸、日光からの紫外線放射エネルギーを遠赤外放射エネルギーに変換し、およびその他の糸に、および着用者の体部分に遠赤外放射エネルギーを放射するための第4の糸、断熱を提供するための、および撥水のための第5の糸、並びに熱を伝導しおよび糸内で均一の温度を維持するための第6の糸を含む。上で開示された所定数の糸から選択される内側糸の束は、上で開示された所定数の糸から選択される外側糸の束と編まれ、エンクロージャの内部表面および外部表面をそれぞれ定義する。内側糸の束は、外側糸の束と編まれて、エンクロージャの内部表面および外部表面それぞれの上に、内側糸および外側糸の均一な表面領域分布を作り出す。内側糸の束および外側糸の束を編むことは、それぞれ、織り合わされた内側糸および織り合わされた外側糸を生じさせる。織り合わされた内側糸はエンクロージャの内部表面上で露出され、および織り合わされた外側糸はエンクロージャの外部表面上で露出される。織り合わされた内側糸および織り合わされた外側糸は、治療用衣類が着用者によって着用されるときに互いに接触し、および着用者の体部分をカバーする。
【０００７】
また、自己完結型熱管理能力を持つ治療用衣類を構築するための方法は、本明細書において開示される。本明細書において開示される方法において、上で開示されたように複数の糸は提供され、および着用者の体部分に適合するように構成されているエンクロージャは、以下の通りに作り出される。所定数の内側糸および所定数の外側糸は、上で開示された糸から選択される。選択された内側糸は、スプールの第1のセット上に巻かれ、および選択された外側糸は、スプールの第2のセット上に巻かれる。選択された内側糸の束および選択された外側糸の束は、それぞれスプールの第1のセットから選択された内側糸を引くことによって、およびスプールの第2のセットから選択された外側糸を引くことによって作り出される。選択された内側糸の作り出された束および選択された外側糸の作り出された束は、フィーダーを介して編機に供給される。選択された内側糸の供給された束は、編機の中で選択された外側糸の供給された束と編まれて、着用者の体部分に適合するエンクロージャを作り出す。選択された内側糸の編まれた束は、エンクロージャの内部表面を定義し、および選択された外側糸の編まれた束は、エンクロージャの外部表面を定義する。選択された内側糸の編まれた束は、エンクロージャの内部表面上で露出され、および選択された外側糸の編まれた束は、エンクロージャの外部表面上で露出される。内側糸および外側糸の位置は、互いに対して一貫して維持されて、それぞれ、エンクロージャの内部表面および外部表面上に、内側糸および外側糸の均一な表面領域分布を作り出す。
【図面の簡単な説明】
【０００８】
前述の概要、並びに以下の発明の詳細な説明は、添付の図面と併せて読む場合によりよく理解される。本発明を図示する目的で、本発明の例示的な構築は、図面において示される。しかし、本発明は、本明細書において開示される具体的な構造および方法に限定されない。図面において数字によって参照される構造または方法工程の記述は、本明細書において任意のその後の図面におけるその同じ数字によって示されるその構造または方法工程の記述に適用できる。
【図１Ａ】治療用手袋として構成される、エネルギーを取り入れ、熱を管理する複数効果の治療用衣類を例示的に図示する。
【図１Ｂ】図1Aに示したエネルギーを取り入れ、熱を管理する複数効果の治療用衣類の部分の拡大図を例示的に図示し、外側糸と編まれる内側糸を示す。
【図２】自己完結型熱管理能力を持つ、エネルギーを取り入れ、熱を管理する複数効果の治療用衣類を構築するための方法を図示する。
【図３Ａ】スプールの第1のセットから内側糸の束を作り出すための糸束作成機を例示的に図示する。
【図３Ｂ】内側糸の撚られた束を作り出すための、糸束作成機内に組み込まれる撚糸機の拡大図を例示的に図示する。
【図３Ｃ】スプールの第1のセットからの内側糸の撚られた束の作成を例示的に図示する。
【図３Ｄ】スプールの第2のセットから外側糸の束を作り出すための糸束作成機を例示的に図示する。
【図３Ｅ】スプールの第2のセットからの外側糸の撚られた束の作成を例示的に図示する。
【図４Ａ】プレーティング（plaiting）フィーダーへの内側糸の撚られた束および外側糸の撚られた束の供給を例示的に図示する。
【図４Ｂ】図4Aに示したプレーティングフィーダーのガイドエレメントの拡大図を例示的に図示する。
【図５Ａ】単一の編み針の中への内側糸の撚られた束および外側糸の撚られた束の供給を例示的に図示する。
【図５Ｂ】単一の編み針を使用して外側糸の撚られた束と内側糸の撚られた束を編むことを例示的に図示する。
【図５Ｃ】複数の編み針を使用して作り出される編み模様における内側糸の撚られた束および外側糸の撚られた束の位置を例示的に図示する。
【図６Ａ−６Ｂ】治療用手袋として構成され、および図2に例示的に図示した方法に従って構築される、エネルギーを取り入れ、熱を管理する複数効果の治療用衣類を例示的に図示する。
【図７】治療用手袋として構成され、および着用者の手のひら全体のぴったりとしたフィット性を提供するために縫い目がなく構築される、エネルギーを取り入れ、熱を管理する複数効果の治療用衣類を例示的に図示する。
【図８Ａ−８Ｂ】エネルギーを取り入れ、熱を管理する複数効果の治療用衣類の複数の試験用試料における糸の構築データを含む表を例示的に図示する。
【図９Ａ−９Ｈ】エネルギーを取り入れ、熱を管理する複数効果の治療用衣類の試験用試料Aおよび試験用試料Bを着用する着用者の皮膚温度測定を含む表を例示的に図示する。
【図１０Ａ−１０Ｈ】エネルギーを取り入れ、熱を管理する複数効果の治療用衣類の試験用試料Dおよび試験用試料Cを着用する着用者の皮膚温度測定を含む表を例示的に図示する。
【図１１Ａ−１１Ｈ】エネルギーを取り入れ、熱を管理する複数効果の治療用衣類の試験用試料Eを着用する着用者の皮膚温度測定を含む表を例示的に図示する。
【図１２Ａ−１２Ｈ】エネルギーを取り入れ、熱を管理する複数効果の治療用衣類の試験用試料Fを着用する着用者の皮膚温度測定を含む表を例示的に図示する。
【図１３Ａ−１３Ｈ】エネルギーを取り入れ、熱を管理する複数効果の治療用衣類の試験用試料Gを着用する着用者の皮膚温度測定を含む表を例示的に図示する。
【図１４Ａ−１４Ｈ】エネルギーを取り入れ、熱を管理する複数効果の治療用衣類の試験用試料Hを着用する着用者の皮膚温度測定を含む表を例示的に図示する。
【図１５Ａ−１５Ｈ】エネルギーを取り入れ、熱を管理する複数効果の治療用衣類の試験用試料Iを着用する着用者の皮膚温度測定を含む表を例示的に図示する。
【発明を実施するための形態】
【０００９】
発明の詳細な説明
図1Aは、治療用手袋として構成される、「治療用衣類」と本明細書においていう、エネルギーを取り入れ、熱を管理する複数効果の治療用衣類100を例示的に図示する。説明の目的で、詳細な説明は、治療用手袋として構成される治療用衣類100について言及する。しかし、本明細書において開示される治療用衣類100の範囲は、治療用手袋として構成されることに限定されず、着用者に熱を提供するために着用者の足に着用されるような治療用靴下、治療用下着、治療用Ｔシャツまたは着用者の体部分、たとえば、手、足、胴または着用者の体の任意のその他の部分に着用されることができる衣類の任意のその他のタイプとして構成されることに拡張されてもよい。治療用衣類100は、着用者の体部分、たとえば、着用者の手に適合するように構成されているエンクロージャ101を含む。エンクロージャ101は、たとえば、手袋として構成される。エンクロージャ101は、治療用衣類100の手指セクション101cおよび手のひらセクションlOldを定義する内部表面101aおよび外部表面101bを含む。着用者がエンクロージャ101を着用するときに、内部表面101aは、着用者の体部分に近位であり、および外部表面101bは、着用者の体部分に遠位である。本明細書において開示される治療用衣類100は、たとえば、手および足においてレイノー症候群および／または慢性関節リウマチで苦しむ人々、または寒い気候において冷たい手および足で苦しむ人々の必要に対処する。さらに本明細書において開示される治療用衣類100は、エンクロージャ101を作り出すために編まれる所定数の糸の組み合わせを含む。本明細書において開示される治療用衣類100は、治療用衣類100の内部表面101aおよび外部表面101bを定義するための所定数の糸の組み合わせから作られる。治療用衣類100の所定数の糸は、互いに関連して所定数の糸の位置を維持する編み構造によって編まれる。
【００１０】
図1Bは、図1Aに示したエネルギーを取り入れ、熱を管理する複数効果の治療用衣類100の部分の拡大図を例示的に図示し、外側糸103と編まれる内側糸102を示す。所定数の糸から選択される内側糸102の束は、所定数の糸から選択される外側糸103の束と編まれて、図1Aに例示的に図示したエンクロージャ101の内部表面101aおよび外部表面101bをそれぞれ定義し、および、エンクロージャ101の内部表面101aおよび外部表面101b上に内側糸102および外側糸103の均一な表面領域分布を作り出す。内側糸102の編まれた束は、エンクロージャ101の内部表面101a上で露出され、および外側糸103の編まれた束は、エンクロージャ101の外部表面101b上で露出される。内側糸102の編まれた束および外側糸103の編まれた束は、治療用衣類100が着用者によって着用されるときに互いに接触し、および着用者の体部分、たとえば、着用者の手の皮膚をカバーする。
【００１１】
内側糸102の束および外側糸103の束は、図3Aおよび図3C-3Eに例示的に図示したように以下の糸101a、101b、101c、101d、102a、102bおよび102cから選択される：相変化を通して熱エネルギーを吸収し、貯え、および放出するための第1の糸102a；遠赤外放射エネルギーに熱エネルギーを変換するため、およびその他の糸に、および着用者の体部分に遠赤外放射エネルギーを放射するための第2の糸102b；着用者の体部分および／または周囲環境から水分を吸着するため、および第3の糸102cに含まれる水分と乾燥剤タイプの結晶との間の発熱反応を通して熱エネルギーを生成するための第3の糸102c；日光からの紫外線放射エネルギーを遠赤外放射エネルギーへ変換するための、およびその他の糸に、および着用者の体部分に遠赤外放射エネルギーを放射するための第4の糸103a；耐熱であり、および断熱を提供し、および疎水性、すなわち、撥水剤である第5の糸103b；および熱を伝導し、および均一の温度、すなわち、糸内の均等な温度分布を維持するための第6の糸102d。
【００１２】
内側糸102の束における少なくとも3つの糸は、エンクロージャ101の内部表面101aを定義するために、図3Aに例示的に図示した第1の糸102a、第2の糸102b、第3の糸102cおよび第6の糸102dから選択される。一態様において、エンクロージャ101の内部表面101aを定義する内側糸102の束は、第1の糸102a、第2の糸102bおよび第3の糸102cを含む。もう一つの態様において、エンクロージャ101の内部表面101aを定義する内側糸102の束は、第1の糸102a、第2の糸102b、第3の糸102cおよび第6の糸102dを含む。治療用衣類100の内部表面101aを定義する第1の糸102a、第2の糸102b、第3の糸102cおよび第6の糸102dの機能性、構造および／または材料は、下で開示される。
【００１３】
第1の糸102aは、相変化と呼ばれる物理的化学的過程を通して、熱電池のように熱エネルギーを吸収し、貯え、および放出するための相変化材料で作られる。本明細書に使用されるとき、「相変化材料（PCM）」は、相変化の過程を経る物質をいい、たとえば、固体の相から液体の相まで、および逆も同様である。相変化材料は、相変化材料が固体の相と液体の相との間で変動するにつれて、熱エネルギーを吸収し、貯え、および放出する。第1の糸102aにおける相変化機能性は、パラフィンのミクロンサイズ液滴または液体の相と固体の相との間で変化する類似の相変化材料に由来し、それは第1の糸102aにおいてカプセル化される。加熱されるときに、第1の糸102aに含まれた相変化材料液滴は、液体の相に変化し、および冷却されるときに、第1の糸102aに含まれた相変化材料液滴は、固体の相に変化する。熱エネルギーは、相変化材料が固体の相に変化するにつれて放出され、および熱エネルギーは、相変化材料が液体の相に戻るにつれて吸収される。相変化材料における相変化は、ヒトの皮膚温度のちょうど上およびちょうど下である温度範囲によって決まる。その相変化材料を持つ第1の糸102aは、着用者によって生成される熱を貯める。一態様において、第1の糸102aに適用される相変化材料は、100ミクロン〜100,000ミクロンの範囲である。一態様において、相変化材料は、第1の糸102a上に吹き付けられる。さらにまた、第1の糸102aにおける相変化材料は、熱緩衝作用機能性を第1の糸102aに提供する。したがって、第1の糸102aは、熱緩衝剤として機能し、および治療用衣類100における温度の揺れを最小限にし、それによって、治療用衣類100内で均一の温度を提供する。第1の糸102aの例は、Outlast Technologies, LLC, Golden, ColoradoのOutlast（登録商標）相変化糸である。
【００１４】
第2の糸102bは、着用者の体熱および第1の糸102aから熱エネルギーを伝導的に取り入れ、および遠赤外熱を放射する遠赤外放射エネルギーへ取り入れた熱エネルギーを変換する。遠赤外放射の波長は、たとえば、約1マイクロメートル（μm）〜約10μmの範囲である。第2の糸102bは、複数のバイオセラミック粒子を含む。バイオセラミック粒子は、たとえば、第2の糸102bに包埋されたナノ粒子形状におけるホウ素-珪酸塩鉱物または電気石である。バイオセラミック粒子は、光熱特性を持つミネラルである。バイオセラミック粒子は、加熱されるときに遠赤外熱放射を放射し、および／または反射する。遠赤外熱放射は、細胞の代謝および細胞膜透過性の増加をまねく分子振動を促進し、これにより代謝産物の交換およびアデノシン三リン酸（ATP）合成、浮腫形成で役割を果たす化学的メディエーターのアップレギュレーション、pH制御、遊離基代謝および微小循環を刺激する生化学的な変化を誘発する。したがって、遠赤外放射による分子振動は、治癒過程、たとえば、疼痛軽減、炎症性過程の減少、浮腫の再吸収および神経またはリンパ管再生に必須の生理的効果をもたらす。遠赤外線は、着用者の皮膚および下層にある組織を貫通することができ、皮下タンパク質、コラーゲン、脂肪および水分子を振動させ、組織温度を上昇させ、および血管を拡張させることによって熱を生成することができる。血液循環における改善は、組織により多くの酸素を送達し、それによって治療の有効性の範囲を提供する。第2の糸102bの例は、NILIT Limited Corporation, Maurizio Levi Road, P.O. Box 276, Ramat Gabriel, Migdal Haemek, 2310201, IsraelのNILIT（登録商標）Innergy糸である。
【００１５】
第3の糸102cは、着用者の汗から、および／または周囲環境における湿度から水分を吸着することよって熱エネルギーを生成する。第3の糸102cは、乾燥剤タイプ結晶、たとえば、水分を吸着し、および熱を放つためのシリカの結晶を含む。第3の糸102cに含まれる吸着された水分および乾燥剤タイプ結晶は、発熱反応を受けて熱エネルギーを生成する。第3の糸102cの例は、日本の大阪の東洋紡株式会社のeks（登録商標）糸である。
【００１６】
第6の糸102dは、たとえば、炭素ナノチューブ技術を使用して、所定数の糸の組み合わせ中で均一の温度を維持するように機能する。第6の糸102dは、炭素ナノファイバーである。炭素ナノファイバーは、縫い目のない、円柱状で、中空の、および軽量の繊維であり、一枚の純粋なグラファイトを含む。グラファイト原子を一緒に保持する結合のタイプは、実質的強度を有し、およびグラファイト原子の六角形パターンは、電子の非局在化として公知の現象を生じる。グラファイト原子は、振動して炭素ナノファイバーのナノチューブ構造を通して熱を移動し、それによって治療用衣類100内で高熱伝導率および高電気伝導率を提供する。第6の糸102dの熱伝導率は、治療用衣類100内で温度分布を等しくするように機能する。第6の糸102dは、エンクロージャ101の手のひらセクション101dから手指セクション101cへ熱を移すことによって、図1Aに例示的に図示したエンクロージャ101の手のひらセクション101dと手指セクション101cとの間の温度を等しくする。内側の手のひらが着用者の手の最も暖かい部分であるため、たとえば、手袋として構成されるエンクロージャ101の内部表面101a上で露出される第6の糸102dは、エンクロージャ101の手のひらセクションlOldからエンクロージャ101の手指セクション101cへ熱を伝導することによって内側手のひらとより冷たい手指との間の温度を同じにする。第6の糸102dの例は、Nanocomp Technologies, Inc., Merrimack, New HampshireによるMiralon（商標）糸である。
【００１７】
外側糸103の束における糸の少なくとも1つは、エンクロージャ101の外部表面101bを定義するために、図3Dに例示的に図示した第3の糸102c、第4の糸103aおよび第5の糸103bから選択される。一態様において、エンクロージャ101の外部表面101bを定義する外側糸103の束は、第3の糸102cおよび第5の糸103bを含む。もう一つの態様において、エンクロージャ101の外部表面101bを定義する外側糸103の束は、第4の糸103aおよび第5の糸103bを含む。もう一つの態様において、エンクロージャ101の外部表面101bを定義する外側糸103の束は、第3の糸102c、第4の糸103aおよび第5の糸103bを含む。もう一つの態様において、エンクロージャ101の外部表面101bを定義する外側糸103の束は、第5の糸103bの複数スレッドを含む。態様において、外側糸103の束は、補充糸103c、たとえば、第3の糸102c、第4の糸103aおよび第5の糸103bの少なくとも1つと束になった40デニールのスパンデックス繊維糸を含んでエンクロージャ101の外部表面101bを定義する。エンクロージャ101の外部表面101bを定義する第3の糸102c、第4の糸103a、第5の糸103bおよび補充糸103cは、下で開示される：
【００１８】
外側糸103の束における第3の糸102cは、内側糸102の束の記述において上で開示される。外側糸103の束における第4の糸103aは、紫外線への曝露のためにエンクロージャ101の外部表面101b上で露出される。紫外放射の波長は、たとえば、約10ナノメートル（nm）〜約380nmの範囲である。第4の糸103aの例は、日本の大阪の日本エクスラン工業株式会社のCERAM（登録商標）である。
【００１９】
第5の糸103bは、低比重、低熱伝導率および高断熱特性を持つオレフィンまたはポリプロピレン繊維である。第5の糸103bは、断熱および疎水性であり、およびしたがって、水を寄せ付けなくして治療用衣類100の中に望まれない外部の寒さの侵入を減少させる。第5の糸103bは、耐細菌および耐微生物、耐水、耐色あせおよび大部分の酸に対して耐性である。第5の糸103bの断熱機能は、寒さを締め出し、および治療用衣類100内で内部表面101aの暖かさを閉じ込める。第5の糸103bの例は、Chemosvit Fibrochem, Sturova, SlovakiaによるProlen（登録商標）である。
【００２０】
補充糸103cは、着用者の体部分とエンクロージャ101の内部表面101aとの間の熱伝導率を増強する。補充糸103cの例は、たとえば、40デニールのスパンデックス繊維である。また、補充糸103cは、治療用衣類100が着用者の体部分にぴったりとしたフィット性を有することを可能にする。補充糸103cは、ポリエステルウレタン共重合体、たとえば、INVISTA company, Wichita, KansasのLycra（登録商標）で作られた有意な弾力を有する。
【００２１】
治療用衣類100は、治療用衣類100内で、および治療用衣類100と着用者の体部分との間の伝導性熱伝達および熱放射を組み合わせることによって快適なレベルで着用者の皮膚温度を維持する。治療用衣類100のこの複数効果の熱伝達および治療的性能は、全ての治療用衣類100における、または治療用衣類100の具体的領域におけるいくつかの異なる糸の構成の少なくとも3つの組み合わせの結果として、上に開示された糸の間および糸と治療用衣類100の着用者との間の相互作用によって達成される。
【００２２】
糸の間の相互作用は、治療用衣類100が、図1Aに例示的に図示したように内部表面101aおよび外部表面101bを有する場合さらに改善する。第1の糸102aは、たとえば、第2の糸102bおよび第4の糸103aから約1μm〜約10μmの範囲で遠赤外放射エネルギーを吸収し、および第3の糸102cとの物理的な接触によって第3の糸102cからの熱エネルギーを伝導的に受けとる。相変化材料の熱緩衝作用効果を持つ第1の糸102aは、高熱伝導率を有する第6の糸102dと連動して、所定数の糸の組み合わせ内で均一の温度に影響を及ぼす。第2の糸102b、第3の糸102cおよび第4の糸103aは、互いに、および着用者の体部分および／または周囲環境と相互作用して熱エネルギーを取り入れる。第2の糸102bおよび第4の糸103aは、その他の糸の中に遠赤外放射エネルギーを放射することによって着用者の体部分へ、およびまた着用者の体部分の皮膚組織に戻って、深い、穏やかな加熱を提供する。第5の糸103bの疎水性は、第5の糸103bが第3の糸102cと接触するときに水分を除去し、それによって、第3の糸102cに含まれる水分と乾燥剤タイプ結晶との間の発熱過程が平衡または飽和に到達せずに進行するのを可能にする。
【００２３】
治療用衣類100のエンクロージャ101の内部表面101aおよび外部表面101bは、上で開示された糸から選択される所定数の内側糸102および所定数の外側糸103を使用して編まれる。本明細書において開示される治療用衣類100における所定数の具体的な糸の組み合わせは、治療用衣類100内で、全て自己完結型の、エネルギーの取り入れ、有効な熱管理、およびその他、熱関連でない治療特徴をもたらす。本明細書において開示される治療用衣類100における所定数の具体的な糸の組み合わせは、互いに、並びに着用者および周囲環境と相互作用する。糸同士によって行われる全てのプロセスの効果、たとえば、発熱反応による熱エネルギーの生成、熱エネルギーを着用者に、およびその他の糸に移すことによる熱エネルギーの伝導性の使用、遠赤外放射エネルギーへの熱エネルギーおよび紫外線放射エネルギーの変換、熱エネルギーの貯蔵、吸着、断熱、脱湿、その他は、治療用衣類100において、発熱およびエネルギーの取り入れを、並びに熱管理システムの発達をもたらし、それは治療用衣類100への任意のその他の外部のエネルギー源または加熱装置を導入することなく効率的に働く。
【００２４】
本明細書において開示される治療用衣類100は、自動熱生成システムであり、ゆえに治療用衣類100は、治療用衣類100とその着用者との相互作用から、および外部環境からの両方のエネルギーを取り入れ、または捕集し、およびこの取り入れたエネルギーを熱に変換し、それは治療用衣類100内で貯えられ、および分配される。治療用衣類100の有効な熱管理は、治療用衣類100内で熱を導入し、および維持するために必要なさらなる装置、たとえば、熱カートリッジ、電子レンジで使えるゲル、電池、充電器、その他なしで自己生成する。これは、上で開示された糸から選択される具体的な糸の少なくとも3つの異なるタイプを組み合わせることによって達成され、それぞれは、熱を生成して、貯え、および分配する機能をそれぞれ行う。治療用衣類100における、エネルギーの取り入れ、熱管理、および治療的効果は、治療用衣類100の構築の方法により、着用者および／または周囲環境と、および別の物理的に隣接する糸と、それぞれの糸との相互作用によって達成される。本明細書において開示される所定数の糸の組み合わせおよび治療用衣類100の具体的な構築は、たとえば、レイノー症候群もしくはリューマチ性関節炎を患っている人々または寒い気候における冷たい手および足から緩和を求める人々のために良い結果を達成する。
【００２５】
図2は、自己完結型熱管理能力を持つ、図1Aに例示的に図示したエネルギーを取り入れ、熱を管理する複数効果の治療用衣類100を構築するための方法を図示する。本明細書において開示される方法は、着用者の体の任意の部分のための異なるタイプの治療用衣類、たとえば、手袋、ソックス、下着、長い下着、ストッキング、レギンス、シャツ、ヘッドギア、スカーフ、セーター、スラックス、その他を構築するのに適用できる。本明細書において開示される方法は、図1Bの詳細な説明に開示したように複数の糸を提供すること201、および図1Aに例示的に図示した、たとえば、着用者の体部分、たとえば、着用者の手に適合する手袋として構成されたエンクロージャ101を作り出すこと202を含む。エンクロージャ101を作り出すこと202のための方法は、提供された糸から図1Bに例示的に図示した所定数の内側糸102および所定数の外側糸103を選択すること202a；図3Aに例示的に図示したスプール301の第1のセット上に選択された内側糸102および図3Dに例示的に図示したスプール312の第2のセット上に選択された外側糸103を巻くこと202b；それぞれスプール301の第1のセットから選択された内側糸102を引くことによって、およびスプール312の第2のセットから選択された外側糸103を引くことによって選択された内側糸102の束および選択された外側糸103の束を作り出すこと202c；図4Aに例示的に図示したプレーティングフィーダー401を介して、編機（図示せず）の中へ選択された内側糸102の作り出された束および選択された外側糸103の作り出された束を供給すること202d；および編機において選択された外側糸103の供給された束と選択された内側糸102の供給された束を編み、着用者の体部分に適合するエンクロージャ101を作り出すこと202e、を含む。本明細書において開示される方法において使用される編機の例は、日本の和歌山市坂田の株式会社島精機製作所のWHOLEGARMENT（登録商標）Computerized Flat Knitting Machine、モデル番号SWG061N2であり、縫い目のない装身具を編むため専用に開発された。選択された内側糸102の編まれた束は、図1A-1Bにおいて例示的に図示したように、エンクロージャ101の内部表面101aを定義し、および選択された外側糸103の編まれた束は、エンクロージャ101の外部表面101bを定義する。一態様において、内側糸102の束および外側糸103の束は、外側糸103の束と内側糸102の束を編んでエンクロージャ101を作り出す前に、別々に作られる。
【００２６】
エンクロージャ101の内部表面101a上で編み込まれた内側糸102の束およびエンクロージャ101の外部表面101b上で編み込まれた外側糸103の束は、図3Aおよび図3C-3Eに例示的に図示したようにいくつかの異なる技術的な糸を含む。糸102および103のこれらの束を作り出すために、一態様において、個々の糸102および103は、図3A-3Bおよび図3Dに例示的に図示した撚糸機303の糸チューブ305において共に撚り合わされる。撚糸機303の例は、Whiting Co., Boston, Massachusettsの糸撚り機である。この撚糸機303は、糸102および103を受けとって、それぞれ図3Aおよび図3Dに例示的に図示した円錐311aおよび311b上に巻かれた束に撚り合わせ、このプロセスの間に所定量の撚り合わせを加える。これは、個々の糸102および103のそれぞれが、これらの最終的なそれぞれの束内でつまったままであり、およびごく接近していることを保証し、一方内側糸102のそれぞれが着用者の体部分と同程度接触することを保証し、それは最大機能性のために必要である。外側糸103の巻きおよび撚り合わせは、外側糸103のそれぞれの同等の量が環境へ露出することを保証する。
【００２７】
選択された内側糸102の編まれた束は、エンクロージャ101の内部表面101a上で露出され、および選択された外側糸103の編まれた束は、エンクロージャ101の外部表面101b上で露出される。内側糸102および外側糸103の位置は、互いに対して一貫して維持されて、それぞれエンクロージャ101の内部表面101aおよび外部表面101b上に内側糸102および外側糸103の均一な表面領域分布を作り出す。選択された内側糸102の編まれた束および選択された外側糸103の編まれた束は、治療用衣類100が着用者によって着用されるときに互いに接触し、および着用者の体部分、たとえば、着用者の手の皮膚をカバーする。内側糸102および外側糸103の一貫した位置は、編機が一つの材料の一つの糸または異なる材料の一つ以上の糸を編んで治療用衣類100の内部表面101aを構築し、および一つの材料の一つの糸または異なる材料の一つ以上の糸を編んで治療用衣類100の外部表面101bを構築するという編み込む技術によって維持される。編み込む技術は、2つの撚り糸によって編むことを含み、そこでは一つの糸が他の糸の前に配置される。
【００２８】
図3Aは、スプール301の第1のセットから内側糸102の束を作り出すための糸束作成機300を例示的に図示する。内側糸102は、図1Bの詳細な説明に開示したように、たとえば、第1の糸102a、第2の糸102b、第3の糸102cおよび第6の糸102dから選択された糸の少なくとも3つを含む。説明する目的で、本明細書における詳細な説明は、内側糸102の束を作り出すために、第1の糸102a、第2の糸102b、第3の糸102cおよび第6の糸102dの選択について言及する；しかし、図1Aに例示的に図示したエネルギーを取り入れ、熱を管理する複数効果の治療用衣類100およびその構築の方法の範囲は、内側糸102の束を作り出すための第1の糸102a、第2の糸102b、第3の糸102cおよび第6の糸102dの選択に限定されず、内側糸102の束を作り出すため、内側糸102の異なる選択、たとえば、第1の糸102a、第2の糸102bおよび第3の糸102cを含んでもよい。
【００２９】
選択された内側糸102a、102b、102cおよび102dは、内側糸102の束を作り出すために糸束作成機300に供給される。糸束作成機300は、スプール301の第1のセット、ローラー302a、巻き取り機310aおよび内側糸円錐311aを含む。選択された内側糸102a、102b、102cおよび102dは、スプール301の第1のセットのまわりに巻かれる。図3Aおよび図3Cは、それぞれ第1の内側糸スプール301a、第2の内側糸スプール301b、第3の内側糸スプール301cおよび第4の内側糸スプール301dのまわりに巻かれた第1の糸102a、第2の糸102b、第3の糸102cおよび第6の糸102dを含む態様を例示的に図示する。ローラー302aは、内側糸102a、102b、102cおよび102dをこれらのそれぞれのスプール301a、301b、301cおよび301dから引く。一態様において、ローラー302aに作動可能に接続されたモーター（図示せず）は、ローラー302aを回転させて、内側糸102a、102b、102cおよび102dをこれらのそれぞれのスプール301a、301b、301cおよび301dから引く。
【００３０】
一態様において、糸束作成機300は、図3D-3Eに例示的に図示した外側糸103の束と内側糸102の束を編んで図1Aに例示的に図示したエンクロージャ101を作り出す前に、内側糸102a、102b、102cおよび102dを撚り合わせるために、図3A-3Bに例示的に図示したように糸ガイド304、糸チューブ305、トラベラー306およびスピンドル307を含む撚糸機303をさらに含む。本態様において、ローラー302aは、引かれた内側糸102a、102b、102cおよび102dを、糸ガイド304を介して撚糸機303の糸チューブ305へ移す。移された内側糸102a、102b、102cおよび102dは、図3Bの詳細な説明に開示したように、糸チューブ305のより低い末端305aから突出したトラベラー306を使用して撚り合わされて、選択された内側糸102の撚られた束を作り出し、および糸チューブ305上に巻かれる。糸チューブ305の下、すなわち、糸チューブ305の下端305bから伸びるスピンドル307に作動可能に接続されるトラベラー306は、高速度、たとえば、約3000毎分回転数（rpm）にて回転することによって、移された内側糸102a、102b、102cおよび102dに所定量の撚り合わせを加えて、選択された内側糸102の撚られた束を作り出す。
【００３１】
撚り合わせることは、個々の内側糸102a、102b、102cおよび102dが、選択された内側糸102の最終的な撚られた束内でつまったままであることを保証し、および内側糸102a、102b、102cおよび102dのそれぞれが、着用者の体部分、たとえば、着用者の皮膚と同程度接触することを保証し、それは最大機能性のために必要である。糸チューブ305上の選択された内側糸102の作り出された撚られた束は、図4Aに例示的に図示したプレーティングフィーダー401の中に選択された内側糸102の作り出された撚られた束を供給するために、巻き取り機310aによって内側糸円錐311aのまわりに巻かれる。一態様において、巻き取り機310aは、溝付ローラーとして構成される。巻き取り機310aの例は、Foster Machine Company, Elkhart, Indianaの円錐巻き取り機である。図3Aは、内側糸円錐311a上で巻かれる選択された内側糸102の撚られた束の模式図を例示的に図示する。内側糸円錐311aは、編機上で編みやすくするために先細りにされる。スプール301の第1のセットから作り出される選択された内側糸102の撚られた束は、図3Cに例示的に図示される。
【００３２】
図3Bは、図3Aに例示的に図示した糸束作成機300内に組み込まれた、内側糸102の撚られた束を作り出すための撚糸機303の拡大図を例示的に図示する。撚糸機303は、可動式台308上に配置された糸チューブ305、糸チューブ305のより低い末端305aに近位で配置されたトラベラー306および糸チューブ305の下端305bから伸びるスピンドル307を含む。糸チューブ305の底面および後部の近くに回転ドラム（図示せず）がある。回転ドラムのまわりに巻かれ、およびスピンドル307の底面に接続してスピンドル307を回転させるベルト（図示せず）がある。次に、スピンドル307は、内側糸102を撚り合わせているトラベラー306を回転させ、それは次いで、スピンドル307の上に配置された糸チューブ305の上に巻かれる。内側糸102は、トラベラー306の下に移動し、それは糸チューブ305のより低い末端305aのまわりに配置される環305cに沿って回転する。糸チューブ305の反対側に垂直の壁309aおよび309bを持つ動く台308は、上方向および下方向に移動して糸チューブ305上へ撚られた内側糸102を均一に分配する。図3Bに例示的に図示した撚糸機303は、例示的に図3Dに図示したように外側糸103を撚り合わせるためにもまた使用される。
【００３３】
図3Cは、スプール301の第1のセットからの内側糸102の撚られた束の作成を例示的に図示する。図3A-3Bの詳細な説明に開示したように、作り出された内側糸102の撚られた束における第1の糸102a、第2の糸102b、第3の糸102cおよび第6の糸102dは、互いに、および着用者の体部分、たとえば、以下の通り着用者の手の皮膚と相互作用する。第2の糸102bは、着用者の皮膚から、および第1の糸102aから伝導的に熱エネルギーを受けとり、および遠赤外放射エネルギーにこの熱エネルギーを変換する。この変換は、熱が伝導性から放射へ移される方法における変化を示す。この遠赤外放射エネルギーは、着用者の皮膚下に貫通し、および着用者の体の中の水分子を励起させることによって穏やかな熱を生成する。一態様において、第1の糸102aの相変化材料は、遠赤外放射エネルギーを吸収し、したがって、より長くより暖かく留まることによって相変化を遅らせる。第1の糸102aは、包埋された相変化材料に熱エネルギーを貯める。熱エネルギーは、平衡に到達することが遅れることによって第3の糸102cにおける吸着過程を維持する。第3の糸102cは、周囲の圧力および周囲の温度に基づいて水分を吸着する。第3の糸102cが熱を受けとるときに、吸着される水分は、脱着し、および第3の糸102cの表面から逃げる。第5の糸103bは、疎水性であり、第3の糸102cから逃げた水分を取り除く。第3の糸102cは、水分の脱離の後冷える。吸着および脱離の過程は、熱力学的に可逆的な過程である。第3の糸102cは、新たに吸着を始めることができる。この熱エネルギーおよび第3の糸102cによって生成された熱エネルギーは、異なる方法において伝導的に使用される。第1の方法では、第3の糸102cによって生成された熱エネルギーは、着用者の皮膚に触れることよって伝導的に使用される。第2の方法では、第1の糸102aに触れることによって、第3の糸102cは、生成された熱エネルギーを第1の糸102aの相変化材料へ移し、それは熱エネルギーを貯める。第3の方法では、第3の糸102cは、生成された熱エネルギーを第2の糸102bへ移し、それは遠赤外放射エネルギーにこの熱エネルギーを変換する。第6の糸102dは、第1の糸102a、第2の糸102b、第3の糸102cおよび外側糸103の組み合わせ内で均一の温度を維持するように機能する炭素ナノファイバーである。
【００３４】
図3Dは、スプール312の第2のセットから外側糸103の束を作り出すための糸束作成機300を例示的に図示する。外側糸103は、図1Bの詳細な説明に開示したように、たとえば、第3の糸102c、第4の糸103a、第5の糸103bおよび補充糸103cから選択された少なくとも1つの糸を含む。図3Dは、それぞれ、第1の外側糸スプール312a、第2の外側糸スプール312bおよび第3の外側糸スプール312cのまわりに巻かれた第4の糸103a、第5の糸103bおよび補充糸103cを含む態様を例示的に図示する。一態様において、第5の糸103bの複数スレッドは、図1Aに例示的に図示した治療用衣類100のエンクロージャ101の外部表面101bを作り出すための外側糸103として選択される。一態様において、外側糸103として選択された第5の糸103bは、周囲環境の環境要素に抵抗性である。説明する目的で、詳細な説明は、外側糸103の束を作り出すための第4の糸103a、第5の糸103bおよび補充糸103cの選択について言及する；しかし、図1Aに例示的に図示したエネルギーを取り入れ、熱を管理する複数効果の治療用衣類100の範囲およびその構築の方法は、外側糸103の束を作り出すための第4の糸103a、第5の糸103bおよび補充糸103cの選択に限定されず、外側糸103の束を作り出すため、外側糸103の異なる選択、たとえば、第3の糸102cおよび第5の糸103bまたは第4の糸103aおよび第5の糸103bまたは第3の糸102c、第4の糸103aおよび第5の糸103b、または第5の糸103bの複数スレッドを含んでもよい。
【００３５】
選択された外側糸103a、103bおよび103cは、外側糸103の束を作り出すための糸束作成機300に供給される。糸束作成機300は、スプール312の第2のセット、ローラー302b、巻き取り機310bおよび外側糸円錐311bを含む。選択された外側糸103a、103bおよび103cは、スプール312の第2のセットのまわりに巻かれる。図3D-3Eは、それぞれ、第1の外側糸スプール312a、第2の外側糸スプール312bおよび第3の外側糸スプール312cのまわりに巻かれた第4の糸103a、第5の糸103bおよび補充糸103cを含む態様を例示的に図示する。ローラー302bは、外側糸103a、103bおよび103cをこれらのそれぞれのスプール312a、312bおよび312cから引く。一態様において、ローラー302bに作動可能に接続されたモーター（図示せず）は、ローラー302bを回転させて、外側糸103a、103bおよび103cをこれらのそれぞれのスプール312a、312bおよび312cから引く。一態様において、糸束作成機300は、外側糸103の束と図3Aおよび図3Cに例示的に図示した内側糸102の束を編んでエンクロージャ101を作り出す前に、外側糸103a、103bおよび103cを撚り合わせるために、図3Bの詳細な説明に開示したように糸ガイド304、糸チューブ305、トラベラー306およびスピンドル307を含む撚糸機303をさらに含む。
【００３６】
この態様において、ローラー302bは、引かれた外側糸103a、103bおよび103cを、糸ガイド304を介して撚糸機303の糸チューブ305へ移す。移された外側糸103a、103bおよび103cは、図3Bの詳細な説明に開示したように、糸チューブ305のより低い末端305aから突出したトラベラー306を使用して撚り合わされて、選択された外側糸103の撚られた束を作り出し、および糸チューブ305上に巻かれる。糸チューブ305の下、すなわち、糸チューブ305の下端305bから伸びるスピンドル307に作動可能に接続されるトラベラー306は、高速度、たとえば、約3000毎分回転数（rpm）にて回転することによって、移された外側糸103a、103bおよび103cに所定量の撚り合わせを加えて、選択された外側糸103の撚られた束を作り出す。撚り合わせることは、個々の外側糸103a、103bおよび103cが、選択された外側糸103の最終的な撚られた束内でつまったままであることを保証し、および外側糸103a、103bおよび103cのそれぞれが、環境に同程度露出することを保証する。糸チューブ305上の選択された外側糸103の作り出された撚られた束は、図4Aに例示的に図示したプレーティングフィーダー401の中に選択された外側糸103の作り出された撚られた束を供給するために、たとえば、溝付ローラーとして構成された巻き取り機310bによって外側糸円錐311bのまわりに巻かれる。巻き取り機310bの例は、Foster Machine Company, Elkhart, Indianaの円錐巻き取り機である。図3Dは、外側糸円錐311b上に巻かれた選択された外側糸103の撚られた束の模式図を例示的に図示する。外側糸円錐311bは、編機上で編みやすくするために先細りにされる。スプール312の第2のセットから作り出される選択された外側糸103の撚られた束は、図3Eに例示的に図示される。
【００３７】
図4Aは、プレーティングフィーダー401の中への内側糸102の撚られた束および外側糸103の撚られた束の供給を例示的に図示する。プレーティングフィーダー401は、内側糸102の撚られた束および外側糸103の撚られた束を挿入するための第1の糸ガイド401a、第2の糸ガイド401bおよびガイドエレメント402を含む。プレーティングフィーダー401は、図3Aおよび図3Dに例示的に図示した内側糸円錐311aおよび外側糸円錐311bそれぞれから内側糸102の撚られた束および外側糸103の撚られた束を受けとる。プレーティングフィーダー401は、それぞれ第1の糸ガイド401aおよび第2の糸ガイド401bによって内側糸102の撚られた束および外側糸103の撚られた束を保持する。ファスナー、たとえば、ボルト401cは、サブキャリア（図示せず）にプレーティングフィーダー401を取り付け、サブキャリアは棒（図示せず）上に取り付けられ、それの上でサブキャリアは前後にすべる。ガイドエレメント402は、図4Bに示したガイドエレメント402の拡大図において例示的に図示したように、それぞれ第1の糸ガイド401aおよび第2の糸ガイド401bからそれぞれ内側糸102の撚られた束および外側糸103の撚られた束を受けとるためにガイド402aおよび402bを含む。
【００３８】
図4Aは、内側糸102の撚られた束が、第1の糸102a、第2の糸102b、第3の糸102cおよび第6の糸102dを含み、および外側糸103の撚られた束が、第4の糸103a、第5の糸103bおよび補充糸103cを含む態様を例示的に図示する。内側糸102の撚られた束および外側糸103の撚られた束は、それぞれガイドエレメント402のガイド402aおよび402bの中に供給される。プレーティングフィーダー401は、図5A-5Cに例示的に図示したような編み針501を持つ編機の中に内側糸102の撚られた束および外側糸103の撚られた束を供給するのに使用される。一態様において、標準的なフィーダーは、内側糸102の撚られた束および外側糸103の撚られた束を編み針501を持つ編機の中に供給する。プレーティングフィーダー401における内側糸102の撚られた束を受けとるガイド402aおよび外側糸103の撚られた束を受けとるガイド402bは、それぞれ、図1Aに例示的に図示した治療用衣類100のエンクロージャ101の内部表面101aおよび外部表面101b上の内側糸102および外側糸103の一貫した位置を維持する。
【００３９】
図5Aは、単一の編み針501の中への内側糸102の撚られた束および外側糸103の撚られた束の供給を例示的に図示する。編み針501は、たとえば、メリヤス針である。編み針501は、フック501a、ラッチブレード501bおよびステム501dを含む。編み針501のステム501dは、編み針501のフック501aから伸びる。ラッチブレード501bは、編み針501のステム501dに枢動可能に接続される。内側糸102および外側糸103は、それぞれ、図1Aに例示的に図示した治療用衣類100のエンクロージャ101の内部表面101aおよび外部表面101bを作り出すために、図3A-3Eの詳細な説明に開示したように選択され、および撚り合わされる。図5Aは、第1の糸102a、第2の糸102b、第3の糸102cおよび第6の糸102dを含む内側糸102および第4の糸103a、第5の糸103bおよび補充糸103cを含む外側糸103を例示的に図示する。第1の糸102a、第2の糸102b、第3の糸102c、第6の糸102d、第4の糸103a、第5の糸103bおよび補充糸103cの機能性、構造および／または材料は、図1Bの詳細な説明に開示される。説明する目的で、図3Aおよび図3Bの詳細な説明は、第1の糸102a、第2の糸102b、第3の糸102cおよび第6の糸102dの組み合わせから作られているエンクロージャ101の内部表面101aについて言及する；しかし、本明細書において開示される治療用衣類100の範囲は、第1の糸102a、第2の糸102b、第3の糸102cおよび第6の糸102dの組み合わせから作られているエンクロージャ101の内部表面101aに限定されず、図3Aおよび図3Cの詳細な説明に開示した糸の任意の組み合わせから作られてもよい。さらにまた、説明する目的で、詳細な説明は、第4の糸103a、第5の糸103bおよび補充糸103cの組み合わせから作られているエンクロージャ101の外部表面101bについて言及する；しかし、本明細書において開示される治療用衣類100の範囲は、第4の糸103a、第5の糸103bおよび補充糸103cの組み合わせから作られている外部表面101bに限定されず、図3D〜3Eの詳細な説明に開示した糸の任意の組み合わせから作られてもよい。
【００４０】
内側糸102の撚られた束および外側糸103の撚られた束は、図4Aの詳細な説明に開示したようにプレーティングフィーダー401を介して編み針501の中に供給される。プレーティングフィーダー401は、互いに対して内側糸102および外側糸103の一貫した位置を維持する。編み針501のフック501aは、内側糸102の撚られた束および外側糸103の撚られた束を保持する。ラッチブレード501bは、フック501aと接触し、そのときラッチブレード501bは、閉じた位置である。ラッチブレード501bは、ラッチブレード501bが開じた位置であるときにフック501aの遠位にある。閉じた位置におけるラッチブレード501bは、編み針501のフック501aおよびラッチブレード501bによって定義される空間501c内の内側糸102の撚られた束および外側糸103の撚られた束に掛け金を掛ける。開いた位置において、編み針501は、ラッチブレード501bを介して編み針501のステム501dの方の逆方向に内側糸102の撚られた束および外側糸103の撚られた束のループ502を引っ張り、およびフック501aが内側糸102の撚られた束および外側糸103の撚られた束を保持することを可能にする。編み針501に掛け金を掛けられ、および内側糸102の撚られた束および外側糸103の撚られた束の第2のループ502bと編み合わされた内側糸102の撚られた束および外側糸103の撚られた束の第1のループ502aは、図5Aに例示的に図示される。
【００４１】
図5Bは、単一の編み針501を使用して外側糸103の撚られた束と内側糸102の撚られた束を編むことを例示的に図示する。外側糸103の撚られた束と内側糸102の撚られた束を編むことは、プレーティングによって行われる。プレーティング手順は、少なくとも1つの編み針501を必要とする。また、プレーティング手順は、横編と呼ばれる。図4A-4Bの詳細な説明に開示したように、プレーティングフィーダー401は、編み針501に内側糸102の撚られた束および外側糸103の撚られた束を供給する。編み針501は、図5Aの詳細な説明に開示したように作動する。内側糸102の撚られた束および外側糸103の撚られた束の第1のループ502aおよび第2のループ502bが、図5Bに例示的に図示したように単一の編み針501を使用して編むことによって作り出される例を考察する。編み針501が前方向に移動するとき、内側糸102の撚られた束および外側糸103の撚られた束の以前に作り出された第2のループ502bは、編み針501のラッチブレード501bの上を逆方向にすべり、それによってラッチブレード501bを開き、および編み針501のステム501d上に達する。編み針501の前進は、編み針501のフック501aがプレーティングフィーダー401によって供給された内側糸102の撚られた束および外側糸103の撚られた束をつかむことを可能にする。編み針501は、内側糸102の撚られた束および外側糸103の撚られた束をつかんだ後に、逆方向に移動して第3のループ502cを形成する。編み針501の逆方向移動により、以前に作り出された第2のループ502bがラッチブレード501b上ですべり、これによりラッチブレード501bが閉じ、およびフック501aがつかんだ内側糸102の撚られた束および外側糸103の撚られた束に掛け金を掛け、およびその後に形成された第3のループ502c上に移動する。編み針501の逆方向へのさらなる移動により、第3のループ502cが第2のループ502bを通過し、その後に第2のループ502bが編み終わる。このプロセスは、図1Aに例示的に図示した内部表面101aおよび外部表面101bを含むエンクロージャ101が作り出されるまで、第4のループ（図示せず）およびその他を作り出し続ける。
【００４２】
図5Cは、たとえば、編機（図示せず）の複数の編み針501を使用してプレーティングによって作り出された編み物パターンにおける内側糸102の撚られた束および外側糸103の撚られた束の位置を例示的に図示する。編み針501のそれぞれは、図5Aの詳細な説明に開示したように作動する。一態様において、編み針501は、これらが図4Aおよび5Bにおいて例示的に図示したプレーティングフィーダー401を通して、または標準的なフィーダーを通して来る内側糸102の撚られた束および外側糸103の撚られた束を編む。外側糸103の撚られた束と内側糸102の撚られた束を編むための方法は、図5Bの詳細な説明に開示される。図1Aに例示的に図示した治療用衣類100のエンクロージャ101の内部表面101aおよび外部表面101bを定義する所定数の内側糸102および所定数の外側糸103は、それぞれ、撚り合わされ、および編まれて、それぞれエンクロージャ101の内部表面101aおよび外部表面101b上に内側糸102および外側糸103の均一な表面領域分布を作り出す。内側糸102の編まれた束および外側糸103の編まれた束は、治療用衣類100が着用者によって着用されるときに互いに接触し、および着用者の体部分、たとえば、着用者の皮膚をカバーする。
【００４３】
図6A-6Bは、本明細書において数字100によって参照され、および図2に例示的に図示した方法に従って、かつ図2の詳細な説明に開示したように構築される、治療用手袋として構成されたエネルギーを取り入れ、熱を管理する複数効果の治療用衣類100を例示的に図示する。図6A-6Bに例示的に図示した治療用手袋100のそれぞれは、内部表面101aおよび外部表面101bを有するエンクロージャ101をひとまとめにして形成する手指セクション101cおよび手のひらセクション101dを含む。図6Aに例示的に図示した構築された治療用手袋100は、第1の糸102a、第2の糸102b、第3の糸102cおよび第6の糸102dを含む内側糸102が、着用者の手の皮膚に近位の内部表面101aを定義し、および第4の糸103a、第5の糸103b、および補充糸103cを含む外側糸103が、着用者の手の皮膚に遠位の外部表面101bを定義する、無地の治療用手袋100である。図6Bに例示的に図示した構築された治療用手袋100は、第1の糸102a、第2の糸102b、第3の糸102cおよび第6の糸102dを含む内側糸102が、着用者の手の皮膚に近位の内部表面101aを定義し、および第5の糸103b、第3の糸102cおよび補充糸103cを含む外側糸103が、着用者の手の皮膚に遠位の外部表面101bを定義する、線条のある治療用手袋100である。
【００４４】
図7は、治療用手袋として構成され、および着用者の手のひら全体にぴったりとしたフィット性を提供するように縫い目がなく構築された、エネルギーを取り入れ、熱を管理する複数効果の治療用衣類100を例示的に図示する。ひとまとめにエンクロージャ101を形成する手のひらセクション101dおよび手指セクション101cおよび治療用手袋として構成された治療用衣類100の外部表面101bは、図7に例示的に図示される。治療用衣類100は、完全な衣類またはホールガーメントとして縫い目がない単一片に編まれ、改善された構築統合性とともに、着用者の手のひら上に改善されたフィット性をもたらす。治療用衣類100の構造は、着用者の皮膚をカバーし、および互いに接触する、図6A-6Bに例示的に図示した糸102および103の統計学的に均等な表面領域分布を提供し、それは編む前に糸102および103を束にすることによって達成される。治療用衣類100は、3次元の縫い目のない完全な衣類を作り出すために完全な衣類または3次元編み技術を使用して編まれる。電子制御編機は、与えられた命令に従って、図5Cに例示的に図示した何百もの編み針501の移動を指図し、いくつかの管状の編まれた形態を構築し、および接続して、単一の製作工程において治療用衣類100を作り出す。完全な衣類を編む技術は、縫い目のゆとりを排除することによって材料の浪費を減少させ、および従来の材料縫製技術を排除し、それによって市場により速い時間を促進する。それ故、完全な衣類を編む技術は、コスト効率の良い技術である。所定数の糸は、編み針501を操作する完全な衣類編機に供給される。内側糸102および外側糸103のそれぞれは、公知の、またはプログラムされた編み模様を編むことができる機械ヘッドによって制御される。完全な衣類を編む技術は、衣類の種々の形態、たとえば、治療用衣類100を編むことのために使用されることができる。
【００４５】
図8A-8Bは、図6A-6Bに例示的に図示した、エネルギーを取り入れ、熱を管理する複数効果の治療用衣類100の複数の試験用試料における糸の構築データを含む表を例示的に図示する。構築データは、x（yデニール）、すなわち、xの数のスプールで、合計yデニールとして表される。図8Aは、たとえば、スプールの数および総デニールとともに試験用試料Aから試験用試料Iまでの試験用試料の構築のために使用された内側糸102の構築データを示す表を例示的に図示する。図8Aに例示的に図示した表に表される内側糸102は、図6A-6Bに例示的に図示した第1の糸102a、第2の糸102b、第3の糸102cおよび第6の糸102dを含む。図8Bは、たとえば、スプールの数および総デニールとともに試験用試料Aから試験用試料Iまでの試験用試料の構築のために使用された外側糸103の構築データを示す表を例示的に図示する。図8Bに例示的に図示した表に表される外側糸103は、図6A-6Bに例示的に図示した第3の糸102c、第5の糸103bおよびスパンデックス繊維で作られた補充糸103cを含む。構築データ上の線形回帰を行うときに、着用者が冷たい環境に座ると共に皮膚温度が上昇する場合、勾配は正数である。皮膚温度が均一のままである場合、勾配はゼロである。試験期間にわたって皮膚温度が減少するときに、勾配は負の数である。図8A-8Bに例示的に図示したように、勾配は、図9A-15Hの詳細な説明に開示したように試験した全ての試験用試料、すなわち、試験用試料Aから試験用試料Iまでについて負の数である。線形回帰の勾配は、1000を乗じる。
【００４６】
図9A-9Hは、図6A-6Bに例示的に図示したエネルギーを取り入れ、熱を管理する複数効果の治療用衣類100の試験用試料Aおよび試験用試料Bを着用する着用者の皮膚温度測定を含む表を例示的に図示する。治療用衣類100の試験用試料Aは、図6A-6Bに例示的に図示した治療用衣類100の内部表面101aを形成する内側糸102として第1の糸102a、第2の糸102bおよび第3の糸102cおよび治療用衣類100の外部表面101bを形成する外側糸103として第3の糸102c、第5の糸103bおよびスパンデックス繊維で作られた補充糸103cを含む。治療用衣類100の試験用試料Bは、治療用衣類100の内部表面101aを形成する内側糸102として第1の糸102a、第2の糸102bおよび第3の糸102cおよび治療用衣類100の外側表面101bを形成する外側糸103として第3の糸102c、第5の糸103bおよび補充糸103cを含む。治療用衣類100の試験用試料Aおよび試験用試料Bを着用する着用者の皮膚温度測定は、以下の通りに取られる。着用者は、彼／彼女の右手に試験用試料Aおよび彼／彼女の左手に試験用試料Bを着用する。次いで、使用者は、たとえば、約華氏40度〜約45度に制御された温度である環境のチャンバーにおいて着席する。プローブは、血管が閉じるところである、着用者の右手および左手の中指の先端上に配置される。着用者の皮膚上の皮膚温度は、たとえば、15秒の間隔で1時間までプローブによって測定される。皮膚温度は、経過時間の関数として解析され、および図9A-9Hに例示的に図示したように表にされる。この試験は、第2の糸102bが、着用者の手の熱から、および第1の糸102aにおける熱から、伝導性の熱エネルギーを遠赤外放射エネルギーに変換することを示す。図9A-9Hにおいて測定されたデータによって例示的に図示したように、治療用衣類100の試験用試料Aおよび試験用試料Bを着用することによる皮膚温度の上昇は、レイノー症候群または慢性関節リウマチを持つ人々または寒い気候における冷たい手に対して有効な保護を探求する人々を助けることができる。
【００４７】
図10A-10Hは、図6A-6Bに例示的に図示したエネルギーを取り入れ、熱を管理する複数効果の治療用衣類100の試験用試料Dおよび試験用試料Cを着用する着用者の皮膚温度測定を含む表を例示的に図示する。治療用衣類100の試験用試料Dは、図6A-6Bに例示的に図示した治療用衣類100の内部表面101aを形成する内側糸102として第1の糸102aおよび第3の糸102cおよび治療用衣類100の外部表面101bを形成する外側糸103として第3の糸102c、第5の糸103bおよびスパンデックス繊維で作られた補充糸103cを含む。治療用衣類100の試験用試料Cは、治療用衣類100の内部表面101aを形成する内側糸102として第1の糸102aおよび第2の糸102bおよび治療用衣類100の外部表面101bを形成する外側糸103として第3の糸102c、第5の糸103bおよびスパンデックス繊維で作られた補充糸103cを含む。治療用衣類100の試験用試料Dおよび試験用試料Cを着用する着用者の皮膚温度測定は、以下の通りに取られる。着用者は、彼／彼女の右手に試験用試料Dおよび彼／彼女の左手に試験用試料Cを着用する。次いで、使用者は、たとえば、約華氏40度〜約45度に制御された温度である環境のチャンバーにおいて着席する。プローブは、血管が閉じるところである、着用者の右手および左手の中指の先端上に配置される。着用者の皮膚上の皮膚温度は、たとえば、15秒の間隔で1時間までプローブによって測定される。皮膚温度は、経過時間の関数として解析され、および図10A-10Hに例示的に図示したように表にされる。この試験は、第2の糸102bが、着用者の手の熱から、および第1の糸102aにおける熱から、伝導性の熱エネルギーを遠赤外放射エネルギーに変換することを示す。図10A-10Hに測定されたデータによって例示的に図示したように、治療用衣類100の試験用試料Dおよび試験用試料Cを着用することによる皮膚温度の上昇は、レイノー症候群または慢性関節リウマチを持つ人々または寒い気候における冷たい手に対して有効な保護を探求する人々を助けることができる。
【００４８】
図11A-11Hは、図6A-6Bに例示的に図示したエネルギーを取り入れ、熱を管理する複数効果の治療用衣類100の試験用試料Eを着用する着用者の皮膚温度測定を含む表を例示的に図示する。治療用衣類100の試験用試料Eは、図6A-6Bに例示的に図示した治療用衣類100の内部表面101aを形成する内側糸102として第2の糸102bおよび第3の糸102cおよび治療用衣類100の外部表面101bを形成する外側糸103として第3の糸102c、第5の糸103bおよびスパンデックス繊維で作られた補充糸103cを含む。治療用衣類100の試験用試料Eを着用する着用者の皮膚温度測定は、以下の通りに取られる。着用者は、彼／彼女の右手に治療用衣類100の試験用試料Eを着用する。次いで、使用者は、たとえば、約華氏40度〜約45度に制御された温度である環境のチャンバーにおいて着席する。プローブは、血管が閉じるである、着用者の右手の中指の先端上に配置される。着用者の皮膚上の皮膚温度は、たとえば、15秒の間隔で1時間までプローブによって測定される。皮膚温度は、経過時間の関数として解析され、および図11A-11Hに例示的に図示したように表にされる。図11A-11Hに測定されたデータによって例示的に図示したように、治療用衣類100の試験用試料Eを着用することによる皮膚温度の上昇は、レイノー症候群または慢性関節リウマチを持つ人々または寒い気候における冷たい手に対して有効な保護を探求する人々を助けることができる。
【００４９】
図12A-12Hは、図6A-6Bに例示的に図示したエネルギーを取り入れ、熱を管理する複数効果の治療用衣類100の試験用試料Fを着用する着用者の皮膚温度測定を含む表を例示的に図示する。治療用衣類100の試験用試料Fは、図6A-6Bに例示的に図示した治療用衣類100の内部表面101aを形成する内側糸102として第3の糸102cおよび治療用衣類100の外部表面101bを形成する外側糸103として第3の糸102c、第5の糸103bおよびスパンデックス繊維で作られた補充糸103cを含む。治療用衣類100の試験用試料Fを着用する着用者の皮膚温度測定は、以下の通りに取られる。着用者は、彼／彼女の右手に治療用衣類100の試験用試料Fを着用する。次いで、使用者は、たとえば、約華氏40度〜約45度に制御された温度である環境のチャンバーにおいて着席する。プローブは、血管が閉じるところである、着用者の右手の中指の先端上に配置される。着用者の皮膚上の皮膚温度は、たとえば、15秒の間隔で1時間までプローブによって測定される。皮膚温度は、経過時間の関数として解析され、および図12A-12Hに例示的に図示したように表にされる。図12A-12Hに測定されたデータによって例示的に図示したように、治療用衣類100の試験用試料Fを着用することによる皮膚温度の上昇は、レイノー症候群または慢性関節リウマチを持つ人々または寒い気候における冷たい手に対して有効な保護を探求する人々を助けることができる。
【００５０】
図13A-13Hは、図6A-6Bに例示的に図示したエネルギーを取り入れ、熱を管理する複数効果の治療用衣類100の試験用試料Gを着用する着用者の皮膚温度測定を含む表を例示的に図示する。治療用衣類100の試験用試料Gは、図6A-6Bに例示的に図示した治療用衣類100の内部表面101aを形成する内側糸102として第2の糸102bおよび治療用衣類100の外部表面101bを形成する外側糸103として第3の糸102c、第5の糸103bおよびスパンデックス繊維で作られた補充糸103cを含む。治療用衣類100の試験用試料Gを着用する着用者の皮膚温度測定は、以下の通りに取られる。着用者は、彼／彼女の左手に治療用衣類100の試験用試料Gを着用する。次いで、使用者は、たとえば、約華氏40度〜約45度に制御された温度である環境のチャンバーにおいて着席する。プローブは、血管が閉じるところである、着用者の左手の中指の先端上に配置される。着用者の皮膚上の皮膚温度は、たとえば、15秒の間隔で1時間までプローブによって測定される。皮膚温度は、経過時間の関数として解析され、および図13A-13Hに例示的に図示したように表にされる。図13A-13Hに測定されたデータによって例示的に図示したように、治療用衣類100の試験用試料Gを着用することによる皮膚温度の上昇は、レイノー症候群または慢性関節リウマチを持つ人々または寒い気候における冷たい手に対して有効な保護を探求する人々を助けることができる。
【００５１】
図14A-14Hは、図6A-6Bに例示的に図示したエネルギーを取り入れ、熱を管理する複数効果の治療用衣類100の試験用試料Hを着用する着用者の皮膚温度測定を含む表を例示的に図示する。治療用衣類100の試験用試料Hは、図6A-6Bに例示的に図示した治療用衣類100の内部表面101aを形成する内側糸102として第1の糸102aおよび治療用衣類100の外部表面101bを形成する外側糸103として第3の糸102c、第5の糸103bおよびスパンデックス繊維で作られた補充糸103cを含む。治療用衣類100の試験用試料Hを着用する着用者の皮膚温度測定は、以下の通りに取られる。着用者は、彼／彼女の左手に治療用衣類100の試験用試料Hを着用する。次いで、使用者は、たとえば、約華氏40度〜約45度に制御された温度である環境のチャンバーにおいて着席する。プローブは、血管が閉じるところである、着用者の左手の中指の先端上に配置される。着用者の皮膚上の皮膚温度は、たとえば、15秒の間隔で1時間までプローブによって測定される。皮膚温度は、経過時間の関数として解析され、および図14A-14Hに例示的に図示したように表にされる。図14A-14Hに測定されたデータによって例示的に図示したように、治療用衣類100の試験用試料Hを着用することによる皮膚温度の上昇は、レイノー症候群または慢性関節リウマチを持つ人々または寒い気候における冷たい手に対して有効な保護を探求する人々を助けることができる。
【００５２】
図15A-15Hは、図6A-6Bに例示的に図示したエネルギーを取り入れ、熱を管理する複数効果の治療用衣類100の試験用試料Iを着用する着用者の皮膚温度測定を含む表を例示的に図示する。治療用衣類100の試験用試料Iは、図6A-6Bに例示的に図示した治療用衣類100の内部表面101aを形成する内側糸102として第1の糸102a、第2の糸102b、第3の糸102cおよび第6の糸102dおよび治療用衣類100の外部表面101bを形成する外側糸103として第3の糸102c、第5の糸103bおよびスパンデックス繊維で作られた補充糸103cを含む。試験用試料Iを着用する着用者の皮膚温度測定は、以下の通りに取られる。着用者は、彼／彼女の左手に治療用衣類100の試験用試料Iを着用する。次いで、使用者は、たとえば、約華氏40度〜約45度に制御された温度である環境のチャンバーにおいて着席する。プローブは、血管が閉じるところである、着用者の左手の中指の先端上に配置される。着用者の皮膚上の皮膚温度は、たとえば、15秒の間隔で1時間までプローブによって測定される。皮膚温度は、経過時間の関数として解析され、および図15A-15Hに例示的に図示したように表にされる。たとえば、FLIR ONE（登録商標）Flir Systems、Inc.の熱イメージングカメラを通して赤外線のイメージングを行うことによって、第6の糸102d、すなわち、炭素ナノ繊維からの熱が、着用者の手で最も暖かい部分である内側の手のひら領域から着用者の手指の方へ伝導的に移動することが示される。また、この試験は、第2の糸102bが、着用者の熱から、および第1の糸102aにおける熱から、伝導性の熱エネルギーを遠赤外放射エネルギーに変換することを示す。図15A-15Hに測定されたデータによって例示的に図示したように、治療用衣類100の試験用試料Iを着用することによる皮膚温度の上昇は、レイノー症候群または慢性関節リウマチを持つ人々または寒い気候における冷たい手に対して有効な保護を探求する人々を助けることができる。
【００５３】
前述の例は、単に説明する目的で提供され、および本明細書において開示される治療用衣類100およびその構築の方法の限定とは全く解釈されない。治療用衣類100および方法が、種々の態様に関して記述されると共に、本明細書に使用された言葉は、限定の言葉よりもむしろ説明および例証の言葉であるものと理解される。さらに、治療用衣類100および方法は、特定の手段、材料および態様に関して本明細書において記述されたが、治療用衣類100および方法は、本明細書において開示される詳細に限定されることを意図されない；むしろ、治療用衣類100および方法は、全ての機能的に均等な構造、方法および用途に拡張し、たとえば、それは添付の請求の範囲内である。当業者は、この明細書の教示の助けをかりて、それに多数の修正を行ってもよく、および改変は、これらの側面において本明細書において開示される治療用衣類100および方法の範囲および趣旨を逸脱しない範囲でされてもよい。
【図１】
2018530363.tif 000002
【図２】
2018530363.tif 000003
【図３Ａ】
2018530363.tif 000004
【図３Ｂ】
2018530363.tif 000005
【図３Ｃ】
2018530363.tif 000006
【図３Ｄ】
2018530363.tif 000007
【図３Ｅ】
2018530363.tif 000008
【図４】
2018530363.tif 000009
【図５Ａ】
2018530363.tif 000010
【図５Ｂ】
2018530363.tif 000011
【図５Ｃ】
2018530363.tif 000012
【図６Ａ】
2018530363.tif 000013
【図６Ｂ】
2018530363.tif 000014
【図７】
2018530363.tif 000015
【図８Ａ】
2018530363.tif 000016
【図８Ｂ】
2018530363.tif 000017
【図９Ａ】
2018530363.tif 000018
【図９Ｂ】
2018530363.tif 000019
【図９Ｃ】
2018530363.tif 000020
【図９Ｄ】
2018530363.tif 000021
【図９Ｅ】
2018530363.tif 000022
【図９Ｆ】
2018530363.tif 000023
【図９Ｇ】
2018530363.tif 000024
【図９Ｈ】
2018530363.tif 000025
【図１０Ａ】
2018530363.tif 000026
【図１０Ｂ】
2018530363.tif 000027
【図１０Ｃ】
2018530363.tif 000028
【図１０Ｄ】
2018530363.tif 000029
【図１０Ｅ】
2018530363.tif 000030
【図１０Ｆ】
2018530363.tif 000031
【図１０Ｇ】
2018530363.tif 000032
【図１０Ｈ】
2018530363.tif 000033
【図１１Ａ】
2018530363.tif 000034
【図１１Ｂ】
2018530363.tif 000035
【図１１Ｃ】
2018530363.tif 000036
【図１１Ｄ】
2018530363.tif 000037
【図１１Ｅ】
2018530363.tif 000038
【図１１Ｆ】
2018530363.tif 000039
【図１１Ｇ】
2018530363.tif 000040
【図１１Ｈ】
2018530363.tif 000041
【図１２Ａ】
2018530363.tif 000042
【図１２Ｂ】
2018530363.tif 000043
【図１２Ｃ】
2018530363.tif 000044
【図１２Ｄ】
2018530363.tif 000045
【図１２Ｅ】
2018530363.tif 000046
【図１２Ｆ】
2018530363.tif 000047
【図１２Ｇ】
2018530363.tif 000048
【図１２Ｈ】
2018530363.tif 000049
【図１３Ａ】
2018530363.tif 000050
【図１３Ｂ】
2018530363.tif 000051
【図１３Ｃ】
2018530363.tif 000052
【図１３Ｄ】
2018530363.tif 000053
【図１３Ｅ】
2018530363.tif 000054
【図１３Ｆ】
2018530363.tif 000055
【図１３Ｇ】
2018530363.tif 000056
【図１３Ｈ】
2018530363.tif 000057
【図１４Ａ】
2018530363.tif 000058
【図１４Ｂ】
2018530363.tif 000059
【図１４Ｃ】
2018530363.tif 000060
【図１４Ｄ】
2018530363.tif 000061
【図１４Ｅ】
2018530363.tif 000062
【図１４Ｆ】
2018530363.tif 000063
【図１４Ｇ】
2018530363.tif 000064
【図１４Ｈ】
2018530363.tif 000065
【図１５Ａ】
2018530363.tif 000066
【図１５Ｂ】
2018530363.tif 000067
【図１５Ｃ】
2018530363.tif 000068
【図１５Ｄ】
2018530363.tif 000069
【図１５Ｅ】
2018530363.tif 000070
【図１５Ｆ】
2018530363.tif 000071
【図１５Ｇ】
2018530363.tif 000072
【図１５Ｈ】
2018530363.tif 000073
【国際調査報告】
2018530363.tif 000074